【手続補正書】
【提出日】平成20年6月18日(2008.6.18)
【手続補正１】
【補正対象書類名】明細書
【補正対象項目名】特許請求の範囲
【補正方法】変更
【補正の内容】
【特許請求の範囲】
【請求項１】
光記録媒体から、記録されたデータ信号、及びその記録されたデータ信号の最高周波数成分より高い周波数を備える、記録されたクロック信号を同時に回復するための装置であって、
所定の波長を備える入射光ビームを発生させるように構成されたレーザと、
前記入射光ビームの焦点を前記光記録媒体に合わせ、前記記録されたデータ信号及びクロック信号に従って変調される強度を有する反射ビームを生じさせるように構成された光学アセンブリと、
前記反射ビームを第１と第２のビームに分けるように構成されたビームスプリッタと、
前記第１のビームを受光し、前記記録されたデータ信号に従って変動する回復されたデータ信号を生じさせるように構成された非共焦点データ検出器であって、その非共焦点データ検出器の帯域幅が、前記記録されたクロック信号の振幅変調を検出するのに不十分である、非共焦点データ検出器と、及び
前記第２のビームを受光し、前記記録されたクロック信号を表す回復されたクロック信号を生じさせるように構成された共焦点クロック検出器とを含む、装置。
【請求項２】
前記光学アセンブリが、単一の対物レンズ、四分の一波長板、及び偏光ビームスプリッタを含み、
前記光学アセンブリは、前記反射ビームが、前記対物レンズから前記四分の一波長板を通って、前記偏光ビームスプリッタまで、前記入射ビームの光路を後戻りするように構成され、
前記共焦点クロック検出器が、前記レーザ、及び前記光記録媒体上に焦点を合わせられた光ビームに対する共役平面に配置されたピンホールを含む、請求項１に記載の装置。
【請求項３】
前記光記録媒体が、前記データ信号及びクロック信号を記録する、サーボトラックを備えた記録層が組み込まれた回転ディスクからなり、
前記装置が、規定されたように前記回転ディスクを制御可能に回転させるためのモータをさらに含む、請求項１に記載の装置。
【請求項４】
前記光学アセンブリが、
前記入射ビームの焦点を前記回転ディスクに合わせ、そこから反射される光を集めて、強度変調された反射ビームを形成するように構成された単一の対物レンズと、
前記回転ディスクに対して前記対物レンズを位置決めし、前記入射ビームの焦点が前記ディスクの記録層に対して適正に合わせられるように構成された焦点エラー検出器と、
前記回転ディスクに対して前記対物レンズを位置決めし、前記入射ビームが前記ディスクの記録層に形成された前記サーボトラックを適正に追跡するように構成されたトラックエラー検出器とを含む、請求項３に記載の装置。
【請求項５】
光記録媒体から、記録されたデータ信号、及びその記録されたデータ信号の最高周波数成分より高い周波数を備える、記録されたクロック信号を同時に回復するための方法であって、
所定の波長を備えた入射ビームを発生させるステップと、
前記記録されたデータ信号及びクロック信号に従って変調される強度を有する反射ビームを生じさせるために、前記入射光ビームの焦点を前記光記録媒体に合わせるステップと、
前記反射ビームを第１と第２のビームに分けるステップと、
非共焦点データ検出器を用いて、前記第１のビームを受光し、前記記録されたデータ信号に従って変動する回復されたデータ信号を生じさせるステップであって、前記非共焦点データ検出器の帯域幅が、前記記録されたクロック信号の振幅変調を検出するのに不十分である、ステップと、
共焦点クロック検出器を用いて、前記第２のビームを受光し、前記記録されたクロック信号を表す回復されたクロック信号を生じさせるステップとからなる、方法。
【請求項６】
焦点を合わせるステップに、単一の対物レンズ、四分の一波長板、及び偏光ビームスプリッタを含む光学アセンブリが用いられ、その光学アセンブリは、前記反射ビームが前記対物レンズから前記四分の一波長板を通って、前記偏光ビームスプリッタまで、前記入射ビームの光路を後戻りするように構成されており、
前記第２のビームの受光に用いられる前記共焦点クロック検出器が、前記入射ビーム源、及び前記光記録媒体上に焦点を合わせられた光ビームに対する共役平面に配置されたピンホールを含む、請求項５に記載の方法。
【請求項７】
前記光記録媒体が、前記データ信号及びクロック信号を記録する、サーボトラックを備えた記録層が組み込まれた回転ディスクからなり、
前記方法が、規定されたように前記回転ディスクを制御可能に回転させるステップをさらに含む、請求項５に記載の装置。
【請求項８】
焦点を合わせるステップが、
単一の対物レンズを用いて、前記入射ビームの焦点を前記回転ディスクに合わせ、そこから反射される光を集めて、強度変調された反射ビームを形成するステップと、
前記回転ディスクに対して前記対物レンズを位置決めし、前記入射ビームの焦点が前記ディスクの記録層に対して適正に合わせられるようにするステップと、及び
前記回転ディスクに対して前記対物レンズを位置決めし、前記入射ビームが前記ディスクの記録層に形成された前記サーボトラックを適正に追跡するようにするステップとを含む、請求項７に記載の方法。
【請求項９】
データ信号及びクロック信号を記録するサーボトラックを備えた記録層が組み込まれた回転光記録ディスクから、記録されたデータ信号、及びその記録されたデータ信号の最高周波数成分より高い周波数を備える、記録されたクロック信号を同時に回復するための装置であって、
所定の波長を備える入射光ビームを発生させるように構成されたレーザと、
規定されたように前記回転ディスクを制御可能に回転させるためのモータと、
前記光記録ディスクが前記モータによって回転している最中に、前記記録されたデータ信号及びクロック信号に従って変調される強度を有する反射ビームを生じさせるために、前記入射光ビームの焦点を前記光記録ディスクに合わせるように構成された光学アセンブリであって、その光学アセンブリは、単一の対物レンズ、四分の一波長板、及び偏光ビームスプリッタを含み、前記反射ビームが、前記対物レンズから前記四分の一波長板を通って、前記偏光ビームスプリッタまで、前記入射ビームの光路を後戻りするように構成される、光学アセンブリと、
前記反射ビームを第１と第２のビームに分けるように構成されたビームスプリッタと、
前記第１のビームを受光し、前記記録されたデータ信号に従って変動する回復されたデータ信号を生じさせるように構成された非共焦点データ検出器であって、その非共焦点データ検出器の帯域幅が、前記記録されたクロック信号の振幅変調を検出するのに不十分である、非共焦点データ検出器と、及び
前記第２のビームを受光し、前記記録されたクロック信号を表す回復されたクロック信号を生じさせるように構成された共焦点クロック検出器であって、その共焦点クロック検出器が、前記レーザ及び前記光記録ディスクに焦点を合わせられたビームに対する共役平面に配置されたピンホールを含む、共焦点クロック検出器とからなる、装置。
【請求項１０】
前記光学アセンブリが、
前記回転ディスクに対して前記対物レンズを位置決めし、前記入射ビームの焦点が前記ディスクの記録層に対して適正に合わせられるように構成された焦点エラー検出器と、及び
前記回転ディスクに対して前記対物レンズを位置決めし、前記入射ビームが前記ディスクの記録層に形成された前記サーボトラックを適正に追跡するように構成されたトラックエラー検出器とをさらに含む、請求項９に記載の装置。